(57)【要約】【課題】アーム裏面を略凹状に形成してアームを軽量化したドアガードで扉が急激に開かれてアームとアーム係止具が衝突した場合でもアームの変形や破損を防止することの出来るドアガードを提供する。【解決手段】扉又は扉枠のいずれか一方に略水平方向に回動可能に連結された断面凹形状のアームと、扉枠又は扉のいずれか一方に取り付けられたアーム係止具とを備え、該アームを該アーム係止具側に所定角度回動した状態で開扉した場合、該アームは、該アーム係止具に係止されつつ相対移動し、該アームのストッパ部が該アーム係止具に当接することによりそれ以上の開扉が阻止されるドアガードにおいて、該アームのストッパ部の裏面に該アームの相対移動方向と略直角方向にリブを設ける。【選択図】図１
2006241795.tif 000002
【特許請求の範囲】
【請求項１】
扉又は扉枠のいずれか一方に略水平方向に回動可能に連結された断面凹形状のアームと、扉枠又は扉のいずれか一方に取り付けられたアーム係止具とを備え、該アームを該アーム係止具側に所定角度回動した状態で開扉した場合、該アームは、該アーム係止具に係止されつつ相対移動し、該アームのストッパ部が該アーム係止具に当接することによりそれ以上の開扉が阻止されるドアガードにおいて、該アームのストッパ部の裏面に該アームの相対移動方向と略直角方向にリブを設けることを特徴とするドアガード。
【発明の詳細な説明】
【技術分野】
【０００１】
本発明は、開扉を所定角度に制限して無用の人の不法侵入を阻止することができるドアガードに関するものである。
【背景技術】
【０００２】
この種のドアガードは、略水平方向に回動するようにその基端部が扉内面に取り付けられるアームと、該アームを係止すべく扉枠に取り付けられるアーム係止具とを備えている。アームは全体として略Ｕ字状に形成されることによりその上下方向略中央には長手方向に沿ってスリットが延設され、その折曲側が先端側になり開口側が基端側となるように扉内面に軸支される。また、アーム係止具は頭部が膨大した係止突起を有しており、該頭部が挿入できるように、アームの上下両腕部はその基端部において部分的に上下に更に離間して、アームの基端部にスリットと連通しスリットよりも幅広の導入口が形成されている。
【０００３】
そして、扉内面に略沿った通常位置からアームを扉枠側に向けて所定角度起立させてガード位置とすると、扉枠から扉側に向けて、すなわち、扉が設置される扉枠の開口部内方に向けて略水平に突出した状態にあるアーム係止具の係止突起が、アームの導入口に挿入される。即ち、アームの上下両腕部間に係止突起が位置して、アームと係止突起とは上下に重合した状態となる。
【０００４】
かかるガード位置にアームをセットした後に開扉すると、係止突起は導入口からスリットへと進入してスリット内をアーム先端側へと相対移動する。係止突起がスリット内に進入すると、その頭部がアームの上下両腕部を内側から係止してその通常位置への復帰を阻止する。そして、扉が所定角度まで開くと、係止突起がアームの先端部（ストッパ部）に当接し、それにより、その角度以上の開扉が阻止される。
【０００５】
ところで、このようなドアガードには近年小型軽量化が要求されている。具体的には、従来のドアガードはアームの断面が略四角乃至略楕円形状をしており、このため必然的にアーム係止具の高さが高くなり、アーム係止具の高さが高いと室内外への荷物等の出し入れの際荷物がアーム係止具に当たったり、また、衣服を引っ掛けたりするおそれがある。
【０００６】
更に、アームの重量が大きく、人が室外へ出る際扉を強く閉めた場合、扉と扉枠との衝突の衝撃でアームが慣性により通常位置から起き上がり、意図せずドアガードが作動してしまい、再び室内に入ることが出来ない、所謂ロックアウト状態となるおそれがある。（下記特許文献１参照）
【０００７】
そのため、アーム断面を略凹状に形成してアームを軽量化するとともに、アームのスリット部の肉厚を薄くすることによりアーム係止部の高さを低くしたものが存在する。
【０００８】
しかしながら上記の如くアーム裏面を略凹状に形成したドアガードでは、ドアガードを作動させた状態、すなわち開扉を所定角度に制限して無用の人の不法侵入を阻止する状態の時に不法侵入者や来訪者により扉が急激に開かれたり強く開かれたりした場合、アームの肉厚が薄く形成されているため、アームの先端側がアーム係止具と強く衝突することによりアームの先端側が変形したり破損する恐れがあった。
【０００９】
【特許文献１】実開平６−２５４８２号公報
【発明の開示】
【発明が解決しようとする課題】
【００１０】
それゆえに本発明は上記従来の問題に鑑みてなされ、扉が急激に開かれたり強く開かれたりした場合でもアームの変形や破損を防ぐことのできるドアガードを提供することを課題とする。
【課題を解決するための手段】
【００１１】
上記課題を解決するため、請求項１にかかる発明は、扉又は扉枠のいずれか一方に略水平方向に回動可能に連結された断面凹状のアームと、扉枠又は扉のいずれか一方に取り付けられたアーム係止具とを備え、該アームを該アーム係止具側に所定角度回動した状態で開扉した場合、該アームは、該アーム係止具に係止されつつ相対移動し、該アームのストッパ部が該アーム係止具に当接することによりそれ以上の開扉が阻止されるドアガードにおいて、該アームのストッパ部の裏面に該アームの相対移動方向と略直角方向にリブを設けることを特徴とするドアガードである。
【発明の効果】
【００１２】
請求項１に係る本発明によれば、扉（２）又は扉枠（１）のいずれか一方に略水平方向に回動可能に連結された断面凹状のアーム（４）と、扉枠（１）又は扉（２）のいずれか一方に取り付けられたアーム係止具（３）とを備え、該アーム（４）を該アーム係止具（３）側に所定角度回動した状態で開扉した場合、該アーム（４）は、該アーム係止具（３）に係止されつつ相対移動し、該アーム（４）のストッパ部（７）が該アーム係止具（３）に当接することによりそれ以上の開扉が阻止されるドアガードにおいて、該アーム（４）のストッパ部（７）の裏面（１４）に該アーム（４）の相対移動方向と略直角方向にリブ（８）を設けるようにしたので、扉（２）と扉枠（１）との衝突の衝撃で重量のあるアーム（４）が慣性により通常位置から起き上がり、意図せずドアガードが作動することを極力防止しながら、扉（２）が急激に開かれたり強く開かれたりしてアーム係止具（３）がアーム（４）のストッパ部（７）に衝突した場合でも衝撃によるアームの変形や破損を防止することができる。
【発明を実施するための最良の形態】
【００１３】
以下、図面を参照して発明を実施するための最良の形態について説明する。
【００１４】
＜実施の形態＞
図１乃至図６は、本発明によるドアガードの実施例を示す図である。尚、図においては図の断面を示すハッチングは省略されている。
【００１５】
図1、図２に示すように、このドアガードは、外開き用の扉２に二本の軸６、６を介し起倒可能すなわち回動可能に連結されたアーム４と、扉枠１に取り付けられたアーム係止具３とを備える。軸６、６は夫々図示しない抜け止め手段を備えており、アーム４をベース部９に回動可能に取り付けている。
【００１６】
アーム４は金属材料により形成されたＵ字形部材であり、図１に示すように、平行に伸びる二本のレール４ａ、４ｂと二本のレール４ａ、４ｂの一端を閉じる閉止片４ｃを具備する。アーム４は、二本のレール４ａ、４ｂが上下になって水平に伸びるように扉２の内表面２ａ上に配置される。
【００１７】
図１、図２に示すように、ベース部９はネジ１５により扉２の内表面２ａ上に固定され、このベース部９の上下の腕片９ａ、９ｂにアーム４の二本のレール４ａ、４ｂの他端を二本の軸６、６で回動可能に支持されることにより、アーム４がベース部９に対して回動可能となり、扉２の内表面２ａ上において起倒可能となっている。尚、軸６、６は腕片９ａ、９ｂ夫々に配置されるとしたが、一本の枢軸によりレール４ａ、４ｂの他端と腕片９ａ、９ｂを保持しアーム４をベース部９に回動可能に取り付けることも可能である。更に、アーム４とベース部９とを一体とする手段については他の手段であってもよく、例えば、ネジによってアーム４とベース部９を一体としても良い。
【００１８】
アーム４とベース部９の間には、クリックストップ機構がアーム４の位置決めのために設けられている。即ち、ベース部９には軸６の外周面に向けて図示しないコイルバネにより付勢された鋼球１０が内蔵されており、レール４ｂの他端の外周面１１には鋼球１０と凸凹係合する凹形状１１ｂが設けられており、鋼球１０と凹形状１１ｂが各々凸凹係合することにより、アーム４が起位置及び倒位置で保持可能となっている。本実施例では前記クリックストップ機構はレール４ｂの他端側に設けられることとしたが、レール４ａの他端側に設けてもよいし、レール４ａ、レール４ｂの両他端側に設けることも可能である。尚、凹形状を外周面の所定位置に複数箇所設けることによりアームを所定角度ごとに複数の位置及び姿勢で保持することができる。
【００１９】
アーム４には、閉扉状態でのアーム４の回動によりアーム係止具３が挿脱する挿脱孔１２と、開扉時にアーム係止具３をストップ位置までスライドする挿脱孔１２に連なる案内溝１３とが設けられる。
【００２０】
挿脱孔１２はアーム４のアーム係止具３側に形成される。具体的にはアーム４における二本のレール４ａ、４ｂ間であって、ベース部９側に寄った箇所に形成される。この挿脱孔１２に対しアーム係止具３の膨出した頭部３ａが挿脱可能である。
【００２１】
案内溝１３は、アーム４の二本のレール４ａ、４ｂ間に挿脱孔１２から閉止片４ｃに向かって伸びるように形成され、挿脱孔１２よりも小さい幅で形成される。
【００２２】
図１、図２に示すように、アーム係止具３は扉枠１から扉２の内表面２ａに沿うように突出し、その先端には頭部３ａが膨出形成される。頭部３ａは挿脱孔１２の開口よりも小さく、閉扉状態においてアーム４を扉２の内表面２ａ上で起こし又は倒すと、アーム４の挿脱孔１２に入り込み又は離脱する。また、頭部３ａは案内溝１３の幅よりも大きく、アーム係止具３が案内溝１３内に入った後はアーム４の扉２上での倒動作は不能になる。
【００２３】
アーム４のストッパ部７においては裏面１４にアーム４の相対移動方向と略直角方向にリブ８がほぼ案内溝１３の幅で設けられており、ドアガードが作動した状態で扉２が最大位置まで開かれるとアーム係止具３とリブ８の端面８ａが接触するようになっており、扉が急激に開かれたり強く開かれたりしてアーム係止具３がアーム４のストッパ部７に衝突した場合でも衝撃によるアームの変形や破損を防止することができる。なお、リブ８は略案内溝１３の幅に限定されるものではなく、アーム４の外観に影響を及ぼさない範囲で幅方向及び高さ方向を任意に設定することができる。
【００２４】
以上本発明の好ましい実施の形態について説明したが、本発明はこれらの実施の形態に限定されるものではない。
【図面の簡単な説明】
【００２５】
【図１】本発明の実施例の正面図である。
【図２】本発明の実施例の平面断面図である。
【図３】図１中、Ａ−Ａ断面図である。
【図４】本発明の実施例でアームを起こした状態の側面図である。
【図５】図４中、Ｂ−Ｂ断面図である。
【図６】本発明のドアガードを作動させた状態のＢ−Ｂ断面図である。
【符号の説明】
【００２６】
１          扉枠
２          扉
３          アーム係止具
４          アーム
５          アーム先端側
６          軸
７          ストッパ部
８          リブ
９          ベース部
１０        鋼球
１１        外周面
１２        挿脱孔
１３        案内溝
１４        裏面
【図１】
2006241795.tif 000003
【図２】
2006241795.tif 000004
【図３】
2006241795.tif 000005
【図４】
2006241795.tif 000006
【図５】
2006241795.tif 000007
【図６】
2006241795.tif 000008